(57)【要約】【課題】  アセットの種別に適した表示態様でアセットの内容をユーザに提示することができる。【解決手段】  複数の画像ファイルを含むコンポジット型アセットの画像と単数の画像ファイルを含む個別アセットの画像とを並べて表示部にサムネイル表示する。そして、表示した各種アセットの画像のうちコンポジット型アセットが選択されたあとユーザが表示切替キーを押下するたびにコンポジットスライドショー表示画面８４、個別表示画面８５、メタデータ表示画面８６及び全画像スライドショー表示画面８７の順番に切り替わる。また、個別アセットが選択されたあとユーザが表示切替キーを押下するたびに個別表示画面８５、メタデータ表示画面８６及び全画像スライドショー表示画面８７の順番に切り替わる。このように、選択されたアセットの種別に応じて表示態様を切り替え可能である。【選択図】        図８
2006253801.tif 000002
【特許請求の範囲】
【請求項１】
複数の画像ファイルを含むグルーピングアセットと単数の画像ファイルを含む個別アセットとを含む各種のアセットを並べて表示可能な表示手段と、
前記表示手段に並べて表示された各種のアセットのうちいずれかのアセットをユーザが選択可能なアセット選択手段と、
ユーザからの表示切替の指示を取得可能な指示取得手段と、
前記表示手段に並べて表示された各種アセットのうちいずれかが前記アセット選択手段によって選択されたあと、前記指示取得手段がユーザからの表示切替の指示を取得するたびに前記選択されたアセットの種別に応じて表示態様を切り替えて前記表示手段に表示させる表示制御手段と、
を備えた表示処理装置。
【請求項２】
前記表示制御手段は、前記表示手段に並べて表示された各種アセットのうち前記グルーピングアセットが前記アセット選択手段によって選択されたあと、前記指示取得手段がユーザからの表示切替の指示を取得するたびに少なくとも前記グルーピングアセットに含まれる複数の画像ファイルの画像を拡大して順番に前記表示手段に表示する順次表示態様と前記複数の画像ファイルのうちの１つの画像ファイルの画像を拡大して前記表示手段に表示する個別表示態様とを切り替えて前記表示手段に表示させる、
請求項１に記載の表示処理装置。
【請求項３】
前記表示制御手段は、前記グルーピングアセットに含まれる複数の画像ファイルの画像を拡大して順番に表示する順次表示態様を前記表示手段に表示させている途中で前記指示取得手段がユーザからの表示切替の指示を取得したときには該指示を取得した時点で前記表示手段に表示されていた画像の前記個別表示態様に切り替えて前記表示手段に表示させる、
請求項２に記載の表示処理装置。
【請求項４】
前記グルーピングアセットには該アセットに関するメタデータが含まれ、
前記表示制御手段は、前記表示手段に並べて表示された各種アセットのうち前記グルーピングアセットが前記アセット選択手段によって選択されたあと、前記指示取得手段がユーザからの表示切替の指示を取得するたびに少なくとも前記順次表示態様と前記個別表示態様と前記グルーピングアセットのメタデータを表示するメタデータ表示態様とを切り替えて前記表示手段に表示させる、
請求項２又は３に記載の表示処理装置。
【請求項５】
前記個別アセットには、該アセットに関するメタデータが含まれ、
前記表示制御手段は、前記表示手段に並べて表示された各種アセットのうち前記個別アセットが前記アセット選択手段によって選択されたあと、前記指示取得手段がユーザからの表示切替の指示を取得するたびに少なくとも前記個別アセットに含まれる１つの画像ファイルの画像を拡大して表示する個別表示態様と前記個別アセットに関するメタデータを表示するメタデータ表示態様とを切り替えて前記表示手段に表示させる、
請求項１〜４のいずれかに記載の表示処理装置。
【請求項６】
前記表示制御手段は、前記表示手段に並べて表示された各種アセットのうちのいずれかが前記アセット選択手段によって選択されたあと、前記指示取得手段がユーザからの表示切替の指示を取得するたびに少なくとも前記表示手段に表示されるすべてのアセットに含まれる画像ファイルの画像を拡大して順番に表示する全画像表示態様を含む表示態様を切り替えて前記表示手段に表示させる、
請求項２〜５のいずれかに記載の表示処理装置。
【請求項７】
請求項１〜６のいずれかに記載の表示処理装置であって、
所定の関係を有する１以上のアセットの情報をまとめる集団情報及び個別に存在するアセットの情報のうち少なくとも１つを含み該含んだ情報によりアセットを取得可能に作成されたアセット管理情報を利用して前記各種のアセットを取得可能なアセット取得手段、
を備えた表示処理装置。
【請求項８】
請求項１〜７のいずれかに記載の表示処理装置であって、
前記アセットに含まれるメタデータに基づいて該アセットの種別を判定するアセット種別判定手段、を備え、
前記表示制御手段は、前記アセット種別判定手段によって判定されたアセットの種別情報を該アセットに含まれる画像と共に前記表示手段に表示させる、
表示処理装置。
【請求項９】
前記表示制御手段は、前記アセットの種別情報を該アセットに含まれる画像上にアイコン表示させる、
請求項８に記載の表示処理装置。
【請求項１０】
前記表示制御手段は、前記各種のアセットを並べて表示するに際して、前記各種のアセットに画像が含まれていないアセットがあるときには該画像が含まれていないアセットの表示位置に予め定められた画像を並べて前記表示手段に表示させる、
請求項１〜９のいずれかに記載の表示処理装置。
【請求項１１】
前記アセット選択手段は、前記表示手段に並べて表示された各種のアセットのうちいずれかのアセットを印刷するアセットとしてユーザが選択可能である、
請求項１〜１０のいずれかに記載の表示処理装置。
【請求項１２】
請求項１１に記載の表示処理装置と、
前記表示処理装置によって選択されたアセットに含まれる画像を着色剤によって記録媒体に印刷する印刷ユニットと、
を備えた印刷装置。
【請求項１３】
画像を表示する表示手段とユーザからの表示切替の指示を取得可能な指示取得手段とを利用した表示処理方法であって、
（ａ）複数の画像ファイルを含むグルーピングアセットと単数の画像ファイルを含む個別アセットとを含む各種のアセットを並べて前記表示手段に表示するステップと、
（ｂ）前記ステップ（ａ）で前記表示手段に並べて表示された各種のアセットのうちいずれかのアセットをユーザが選択するステップと、
（ｃ）前記ステップ（ｂ）のあと前記指示取得手段がユーザからの表示切替の指示を取得するたびに前記ステップ（ｂ）で選択されたアセットの種別に応じて表示態様を切り替えて前記表示手段に表示するステップと、
を含む表示処理方法。
【請求項１４】
請求項１３に記載の表示処理方法の各ステップを１又は複数のコンピュータに実現させるためのプログラム。
【発明の詳細な説明】
【技術分野】
【０００１】
本発明は、表示処理装置、印刷装置、表示処理方法及びそのプログラムに関する。
【背景技術】
【０００２】
従来、ファイルに含まれる画像を表示して選択させる表示処理装置としては、複数のファイルをグループ化して表示するものが提案されている（例えば、特許文献１参照）。この特許文献１に記載された装置は、所定条件（例えば先のファイルから次のファイルが１時間以内に記録されているなど）を満たすファイルを自動的にグループ化し該グループの代表画像を他の画像と共にサムネイル表示するか、グループに含まれる画像すべてを他の画像と共にサムネイル表示するかを切り替え可能である。このように、グループに含まれる画像をサムネイルで確認することができる。
【特許文献１】特開２０００−４１２０９号公報（図９）
【発明の開示】
【発明が解決しようとする課題】
【０００３】
しかしながら、この特許文献１に記載された表示処理装置では、所定条件を満たすファイルのグループをユーザが選択し表示切替の指示をした場合であっても、グループではない個別のファイルをユーザが選択し表示切替の指示をした場合であっても、ユーザが選択した画像から再生が開始されるに過ぎず、グループか個別ファイルかによって表示態様が変わることはなかった。つまり、グループについては個別ファイルとは異なる表示態様でグループの中身をユーザに提示することが相応しい場合があるが、その点は考慮されていなかった。
【０００４】
本発明は、このような課題に鑑みなされたものであり、アセットの種別に適した表示態様でアセットの内容をユーザに提示することができる表示処理装置、印刷装置、表示処理方法及びそのプログラムを提供することを目的とする。
【課題を解決するための手段】
【０００５】
本発明は、上述の目的を達成するために以下の手段を採った。
【０００６】
本発明の表示処理装置は、
複数の画像ファイルを含むグルーピングアセットと単数の画像ファイルを含む個別アセットとを含む各種のアセットを並べて表示可能な表示手段と、
前記表示手段に並べて表示された各種のアセットのうちいずれかのアセットをユーザが選択可能なアセット選択手段と、
ユーザからの表示切替の指示を取得可能な指示取得手段と、
前記表示手段に並べて表示された各種アセットのうちいずれかが前記アセット選択手段によって選択されたあと、前記指示取得手段がユーザからの表示切替の指示を取得するたびに前記選択されたアセットの種別に応じて表示態様を切り替えて前記表示手段に表示させる表示制御手段と、
を備えたものである。
【０００７】
この表示処理装置では、複数の画像ファイルを含むグルーピングアセットと単数の画像ファイルを含む個別アセットとを含む各種のアセットを並べて表示し該並べて表示した各種アセットのうちいずれかが選択されたあと、ユーザからの表示切替の指示を取得するたびに選択されたアセットの種別に応じて表示態様を切り替えて表示する。したがって、アセットの種別に適した表示態様でアセットの内容をユーザに提示することができる。ここで、「アセット」とは、ファイルのまとまりのことをいい、例えば単数のファイルで構成される場合や複数のファイルで構成される場合などがある。
【０００８】
本発明の表示処理装置において、前記表示制御手段は、前記表示手段に並べて表示された各種アセットのうち前記グルーピングアセットが前記アセット選択手段によって選択されたあと、前記指示取得手段がユーザからの表示切替の指示を取得するたびに少なくとも前記グルーピングアセットに含まれる複数の画像ファイルの画像を拡大して順番に前記表示手段に表示する順次表示態様と前記複数の画像ファイルのうちの１つの画像ファイルの画像を拡大して前記表示手段に表示する個別表示態様とを切り替えて前記表示手段に表示させてもよい。こうすれば、アセットに含まれる複数の画像すべてを短時間のうちに順番に拡大して確認したり１つの画像を拡大してじっくりと確認したりすることができるため、アセットに含まれる複数の画像を目的に応じて確認しやすい。このとき、前記表示制御手段は、前記グルーピングアセットに含まれる複数の画像ファイルの画像を拡大して順番に表示する順次表示態様を前記表示手段に表示させている途中で前記指示取得手段がユーザからの表示切替の指示を取得したときには該指示を取得した時点で前記表示手段に表示されていた画像の前記個別表示態様に切り替えて前記表示手段に表示させてもよい。こうすれば、順番に表示されている画像から目的の画像を選択し、選択した画像に対してその後の処理を行いやすい。
【０００９】
本発明の表示処理装置において、前記グルーピングアセットには該アセットに関するメタデータが含まれ、前記表示制御手段は、前記表示手段に並べて表示された各種アセットのうち前記グルーピングアセットが前記アセット選択手段によって選択されたあと、前記指示取得手段がユーザからの表示切替の指示を取得するたびに少なくとも前記順次表示態様と前記個別表示態様と前記グルーピングアセットのメタデータを表示するメタデータ表示態様とを切り替えて前記表示手段に表示させてもよい。こうすれば、グルーピングアセットの画像の確認に加えてグルーピングアセットのメタデータの内容をも確認することができる。
【００１０】
本発明の表示処理装置において、前記個別アセットには、該アセットに関するメタデータが含まれ、前記表示制御手段は、前記表示手段に並べて表示された各種アセットのうち前記個別アセットが前記アセット選択手段によって選択されたあと、前記指示取得手段がユーザからの表示切替の指示を取得するたびに少なくとも前記個別アセットに含まれる１つの画像ファイルの画像を拡大して表示する個別表示態様と前記個別アセットに関するメタデータを表示するメタデータ表示態様とを切り替えて前記表示手段に表示させてもよい。こうすれば、個別アセットの画像の確認に加えて個別アセットのメタデータをも確認することができる。
【００１１】
本発明の表示処理装置において、前記表示制御手段は、前記表示手段に並べて表示された各種アセットのうちのいずれかが前記アセット選択手段によって選択されたあと、前記指示取得手段がユーザからの表示切替の指示を取得するたびに少なくとも前記表示手段に表示されるすべてのアセットに含まれる画像ファイルの画像を拡大して順番に表示する全画像表示態様を含む表示態様を切り替えて前記表示手段に表示させてもよい。こうすれば、アセット選択手段によって選択しうるすべてのアセットにどのような画像が含まれているかを容易に確認することができる。このとき、前記表示制御手段は、前記全画像表示態様を表示させるに際して、前記グルーピングアセットに含まれる複数の画像ファイルに含まれる画像については代表画像のみを拡大して前記表示手段に表示させてもよい。あるいは、前記表示制御手段は、前記全画像表示態様を前記表示手段に表示するに際して、前記グルーピングアセットに含まれる複数の画像については該複数の画像のすべてを拡大して順番に前記表示手段に表示させてもよい。
【００１２】
本発明の表示処理装置は、所定の関係を有する１以上のアセットの情報をまとめる集団情報及び個別に存在するアセットの情報のうち少なくとも１つを含み該含んだ情報によりアセットを取得可能に作成されたアセット管理情報を利用して前記各種のアセットを取得可能なアセット取得手段、を備えてもよい。こうすれば、アセット管理情報を利用することにより、比較的容易にアセットを取得することができる。
【００１３】
本発明の表示処理装置は、前記アセットに含まれるメタデータに基づいて該アセットの種別を判定するアセット種別判定手段、を備え、前記表示制御手段は、前記アセット種別判定手段によって判定されたアセットの種別情報を該アセットに含まれる画像と共に前記表示手段に表示させてもよい。こうすれば、アセットの種別情報が画像と共に表示されるため、アセットの種別をユーザが容易に認識できる。このとき、前記表示制御手段は、前記アセットの種別情報を該アセットに含まれる画像上にアイコン表示させてもよい。こうすれば、画像以外の部分にアセットの種別情報を表示する場合に比べてスペースを有効利用することができる。また、アイコンでアセットの種別情報を表示するため、視覚的に認識しやすい。
【００１４】
本発明の表示処理装置において、前記表示制御手段は、前記各種のアセットを並べて表示するに際して、前記各種のアセットに画像が含まれていないアセットがあるときには該画像が含まれていないアセットの表示位置に予め定められた画像を並べて前記表示手段に表示させてもよい。こうすれば、画像が含まれていないアセットの表示位置に予め定められた画像が表示されるため、画像が含まれていないアセットがどれであるのかを確認しやすい。
【００１５】
本発明の表示処理装置において、前記アセット選択手段は、前記表示手段に並べて表示された各種のアセットのうちいずれかのアセットを印刷するアセットとしてユーザが選択可能であってもよい。こうすれば、印刷するアセットを選択することができる。
【００１６】
本発明の印刷装置は、上述の表示処理装置（印刷する画像を選択可能なもの）と、前記表示処理装置によって選択されたアセットに含まれる画像を着色剤によって記録媒体に印刷する印刷ユニットと、を備えたものである。印刷装置は、印刷する画像を表示部に表示させてユーザに選択させることが多いため、本発明を適用する意義が高い。
【００１７】
本発明の表示処理方法は、
画像を表示する表示手段とユーザからの表示切替の指示を取得可能な指示取得手段とを利用した表示処理方法であって、
（ａ）複数の画像ファイルを含むグルーピングアセットと単数の画像ファイルを含む個別アセットとを含む各種のアセットを並べて前記表示手段に表示するステップと、
（ｂ）前記ステップ（ａ）で前記表示手段に並べて表示された各種のアセットのうちいずれかのアセットをユーザが選択するステップと、
（ｃ）前記ステップ（ｂ）のあと前記指示取得手段がユーザからの表示切替の指示を取得するたびに前記ステップ（ｂ）で選択されたアセットの種別に応じて表示態様を切り替えて前記表示手段に表示するステップと、
を含むものである。
【００１８】
この表示処理方法では、複数の画像ファイルを含むグルーピングアセットと単数の画像ファイルを含む個別アセットとを含む各種のアセットを並べて表示し該並べて表示した各種アセットのうちいずれかが選択されたあと、ユーザからの表示切替の指示を取得するたびに選択されたアセットの種別に応じて表示態様を切り替えて表示する。したがって、アセットの種別に適した表示態様でアセットの内容をユーザに提示することができる。なお、この表示処理方法において、上述した表示処理装置の種々の態様を採用してもよいし、また、上述した表示処理装置の機能を実現するようなステップを追加してもよい。
【００１９】
本発明のプログラムは、上述した表示処理方法の各ステップを１又は複数のコンピュータに実行させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか複数のコンピュータに分散して実行させれば、上述した表示処理方法の各ステップが実行されるため、上述した表示処理方法と同様の作用効果が得られる。
【発明を実施するための最良の形態】
【００２０】
次に、本発明を実施するための最良の形態を実施例を用いて説明する。
【実施例】
【００２１】
図１は、本発明の一実施例であるマルチファンクションプリンタ１０のブロック図であり、図２は、操作パネル４０の説明図であり、図３は、マニフェストの説明図であり、（ａ）がルートマニフェスト６１の概念図、（ｂ）がマニフェスト７１の概念図である。このマルチファンクションプリンタ１０は、図１に示すように、スロット１７に差し込まれたメモリカード１８を読み書き可能に接続するリーダライタ１６と、スキャナ機能を実行するスキャナ機構２１及びこのスキャナ機構２１を制御するスキャナＡＳＩＣ２２を含んで構成されるスキャナ部２０と、プリンタ機能を実現するプリンタ機構３１及びこのプリンタ機構３１を制御するプリンタＡＳＩＣ３２を含んで構成されるプリンタ部３０と、ユーザが各種の指令を入力する操作パネル４０と、装置全体の制御を司るコントローラ１１とを備えている。なお、「ＡＳＩＣ」とは、アプリケーション・スペシフィック・インテグレーテッド・サーキット（Application Specific Integrated Circuit）の略である。
【００２２】
スキャナ部２０は、スキャナ機構２１とスキャナＡＳＩＣ２２を備えている。スキャナ機構２１は、いわゆるフラットベッド型であり、画像を読み取る媒体Ｍを載せるガラス面２３と、このガラス面２３を介して媒体Ｍを光学的に読み取るラインイメージセンサ２４と、媒体Ｍを読み取るためラインイメージセンサ２４を走査させる移動部２６とを備えている。スキャナＡＳＩＣ２２はスキャナ機構２１を制御する機能を備えたＩＣチップであり、スキャナ機構２１のラインイメージセンサ２４で読み取られたスキャンデータを、コントローラ１１のＲＡＭ１４に設けられたスキャナバッファ１４ａに格納する。本実施例のラインイメージセンサ２４は、媒体Ｍに向かって発光した後の反射光をレッド（Ｒ）、グリーン（Ｇ）、ブルー（Ｂ）の各色に分解してスキャンデータとする周知のカラーイメージセンサである。
【００２３】
プリンタ部３０は、プリンタ機構３１とプリンタＡＳＩＣ３２とを備えている。プリンタ機構３１は、インクジェット方式のフルカラープリンタとして構成されている。このプリンタ機構３１は、シアン・マゼンタ・イエロー・ライトシアン・ライトマゼンタ及びブラックの各色のインクを個別に収容したインクカートリッジ３４と、インクカートリッジから供給された各インクに圧力をかける圧力発生部３５と、圧力発生部３５で加圧されたインクを印刷媒体である記録紙Ｓに吐出する吐出口３６と、記録紙Ｓを搬送する搬送ローラ３８とを備えている。圧力発生部３５は、圧電素子（例えばピエゾ素子など）に電圧をかけることによりこの圧電素子を変形させてインクを加圧する方式を採用している。なお、この圧力発生部３５は、発熱抵抗体（例えばヒータなど）に電圧をかけインクを加熱して発生した気泡によりインクを加圧する方式を採用してもよい。また、プリンタＡＳＩＣ３２は、プリンタ機構３１を制御する機能を備えたＩＣチップであり、ＲＡＭ１４に設けられた印刷バッファ１４ｂ内の印刷データを１ページごとにビットマップイメージに展開し該展開した展開データを記録紙Ｓに印刷するようにプリンタ機構３１を制御する。
【００２４】
操作パネル４０は、ユーザがマルチファンクションプリンタ１０に対して各種の指令を入力するためのデバイスであり、図１及び図２に示すように、各種の指令に応じた文字、図形又は記号が表示される表示部４２や、各種操作を行う操作部４４が設けられている。表示部４２は、カラー画像を表示する液晶パネルにより構成されている。操作部４４には、ユーザが処理等を選択するカーソルなどを移動させるときに押下されるカーソルキー４４ａや処理選択などを決定するときに押下される決定キー４４ｂや表示部４２に表示されている画面を他の画面に切り替えるときに押下される表示切替キー４４ｃ、表示部に表示されている画面を一つ前の画面に戻すときなどに押下される戻りキー４４ｄ、選択した画像の印刷枚数を増減させるときに押下される増減キー４４ｅなどが配置されている。
【００２５】
リーダライタ１６は画像処理装置１０の筐体に設けられたスロット１７に差し込まれたメモリカード１８に対してデータの読み書きを行う。メモリカード１８は、電気的に書き換え可能なフラッシュメモリであり、デジタルカメラ５０で撮影した画像ファイルなどを記憶する。ここでは、ユーザによって撮影された画像ファイルは、ＭＰＶ（Ｍｕｓｉｃ  Ｐｈｏｔｏ  Ｖｉｄｅｏ）形式により記憶可能となっている。ＭＰＶとは、コンテンツとしてのアセットの内容を記述するためのメタデータの仕様を定めた規格である。アセットとは、ＭＰＶで取り扱うターゲットの１単位であり、単独の画像ファイル（例えば静止画ファイルなど）で構成されていたり複数の画像ファイル（例えば連続撮影した複数の静止画ファイルなど）で構成されていたりする。本明細書において、前者を個別アセット、後者をグルーピングアセット又はコンポジット型アセットと呼ぶことがある。このアセットを用いて以下説明する。ＭＰＶでは、マークアップ言語としてのＸＭＬで内容が記述されたマニフェストをコントロールファイルに用いる。このマニフェストには、アセットの情報としてのメタデータが記述されている。したがって、マルチファンクションプリンタ１０は、このマニフェストを読み出して解析することにより、各アセット自体を読み出すことなくメモリカード１８のどこにどのようなアセットが記憶されているのかを容易に把握可能となっている。
【００２６】
ここで、メモリカード１８に記憶されているマニフェストの概念について図３を用いて説明する。ルートマニフェスト６１は、メモリカード１８の装着が認識されたときにコントローラ１１により初めに読み込まれるマニフェストである。このルートマニフェスト６１には、他のマニフェスト７１にリンクするリンク情報６２が含まれている。また、このルートマニフェスト６１には、同じイベント（例えば運動会など）で撮影したとか同じ撮影日に撮影したというような所定の関係を有するアセットの集合体であるアルバムを特定可能なアルバム情報６３や、アルバムに含まれずに存在するアセットを特定可能なアセット情報６７などが含まれている。アルバム情報６３には、アセット情報６４，６５，…が含まれている。このアセット情報６４には、アセットに含まれているファイルの名称やこのファイルの保存場所を特定するファイルパス６４ａやアセット種別６４ｂなどが含まれている。アセットの種別としては、静止画（Ｓｔｉｌｌ）、音声付き画像（Ｓｔｉｌｌ  ｗｉｔｈ  Ａｕｄｉｏ）、マルチショット画像（Ｓｔｉｌｌ  Ｍｕｌｔｉｓｈｏｔ  Ｓｅｑｕｅｎｃｅ）、パノラマ画像（Ｓｔｉｌｌ  Ｐａｎｏｒａｍａ  Ｓｅｑｕｅｎｃｅ）及びその他のアセット（Ｏｔｈｅｒ）などがある。また、アセット情報６４には、アセットの作成者、アセットのタイトル、アセットの作成日時などの情報も記述されている。なお、マニフェストに含まれるその他のアセット情報についても同様の内容を含んでいる。ここで、マニフェストリンクとは、他のマニフェストにリンクする概念のことをいい、リンク情報とは、例えばリンク名称やマニフェストパスなどマニフェストリンクを具体的に特定可能な情報をいう。アセットとは、本実施例ではＭＰＶで取り扱うターゲットの１単位の概念のことをいい、アセット情報とは、例えばアセット名称やアセットパスなどアセットを具体的に特定可能な情報のことをいう。また、アルバムとは、１以上のアセットの集合体の概念をいい、アルバム情報とは、例えばアルバム名称や、アルバムに含まれているアセットの名称や、アルバムに含まれているアセットのパスなどアルバムを具体的に特定可能な情報のことをいう。なお、このルートマニフェスト６１は、他のリンク情報や他のアルバム情報を含んでいてもよい。
【００２７】
マニフェスト７１は、リンク情報６２を介してルートマニフェスト６１にリンクされているマニフェストである。このマニフェスト７１には、アルバム情報７３，７５や、アルバムに含まれずに存在するアセットを特定可能なアセット情報７７などが含まれている。なお、マニフェスト７１は他のリンク情報や他のアルバム情報を含んでいてもよい。
【００２８】
コントローラ１１は、ＣＰＵ１２を中心とするマイクロプロセッサとして構成されており（図１参照）、各種処理プログラムを記憶したＲＯＭ１３と、一時的にデータを記憶したりデータを保存したりするＲＡＭ１４とを備えている。このコントローラ１１は、バス１５を介してリーダライタ１６、スキャナＡＳＩＣ２２、プリンタＡＳＩＣ３２及び操作パネル４０と接続されている。ＲＯＭ１３は、不揮発性の記憶デバイスであり、メモリカードに記憶されたファイルを選択するときに実行される選択表示印刷制御プログラム１３ａや各種制御用プログラムなどが記憶されている。ＲＡＭ１４は、複数の領域を備えており、これらの領域には、スキャナ部２０により読み取られた画像情報を一時的に記憶するスキャナバッファ１４ａや、プリンタ部３０に印刷させる画像情報を一時的に記憶する印刷バッファ１４ｂがある。
【００２９】
次に、こうして構成された本実施例のマルチファンクションプリンタ１０の動作について、特にメモリカード１８に記憶されているアセットを選択可能に表示し、選択されたアセットをマルチファンクションプリンタ１０が印刷する動作について説明する。
【００３０】
図４は、コントローラ１１のＣＰＵ１２により実行される選択表示印刷制御ルーチンのフローチャートである。このルーチンは、ＲＯＭ１３に記憶され、ユーザがリーダライタ１６のスロット１７にメモリカード１８を装着したあとＣＰＵ１２によって実行される。図４のルーチンが開始されると、ＣＰＵ１２は、メモリカード１８にルートマニフェストが記憶されているか否かを判定し（ステップＳ１００）、ルートマニフェストが記憶されているときには、ＭＰＶモードで動作するか、全画像を読み出す全画像読出モードで動作するかを選択させる選択画面を表示部４２に表示させ（ステップＳ１１０）、動作モードが選択されたか否かを判定する（ステップＳ１２０）。ユーザによって操作部４４が操作され全画像読出モードが選択されたとき、または、ステップＳ１００でルートマニフェストがメモリカード１８に記憶されていなかったときには、ＣＰＵ１２は、全画像表示処理を実行する（ステップＳ１３０）。ここで、全画像表示処理は、メモリカード１８に含まれているすべての画像ファイルを読み出し、読み出したファイルに含まれている画像をサムネイル表示し、表示した画像のうち印刷する画像をユーザに選択させる処理を行う。
【００３１】
さて、ステップＳ１２０でＭＰＶの動作モードが選択されたときには、ＣＰＵ１２は、ルートマニフェストを読み出し（ステップＳ１４０）、アルバム種があるか否かを判定する（ステップＳ１５０）。ここで、アルバム種としては、図３に示したアルバムやマニフェストリンクなどが設定されている。つまり、アセット自体ではなくアセットの上位にあたる選択肢（アセットをまとめるものの概念、例えばフォルダなど）があるか否かを判定する。ステップＳ１５０でアルバム種があるときには、含まれているアルバム種などの名称を配置した選択画面を表示部４２に表示し（ステップＳ１６０）、ユーザから選択指示されたか否かを判定する（ステップＳ１７０）。選択指示されたか否かの判定は、ユーザにより決定キー４４ｂが押下されたか否かにより行う。ステップＳ１７０で選択指示されていないときにはそのまま待機し、選択指示されたときにはアルバム種が選択されたか否かを判定し（ステップＳ１８０）、アルバム種が選択されたときには、選択されたアルバム種の種別及びパスをＲＡＭ１４に記憶されたパス情報１４ｃの最下段に追加する（ステップＳ１９０）。
【００３２】
ここで、パス情報１４ｃは、図５に示すように、現在の選択画面までどのようなマニフェストのパスを介してきたのかを保存する情報であり、ステップＳ１２０でＭＰＶモードが選択されたときに作成されＲＡＭ１４に保存される。このパス情報１４ｃは、前の表示画面に戻るときに利用するものであり、ルートマニフェストのパスが初期値として記憶されている。そして、アルバム種が選択されるたびに最下段に選択された種別とパスが追加され、ユーザにより戻りキー４４ｄが操作されるたびに最下段の情報が削除される。このように、パス情報を利用して前の画面の内容を記憶する必要がないため、ＲＡＭ１４の空き領域を確保することができる。
【００３３】
さて、ステップＳ１９０のあと、ＣＰＵ１２は、選択されたアルバム種の内容を読み出し（ステップＳ２００）、上述したステップＳ１５０〜Ｓ２００の処理を行う。つまり、選択された内容にアルバム種が含まれない状態になるまで上述したステップＳ１５０〜Ｓ２００の処理を繰り返す。一方、ステップＳ１８０でアルバム種が選択されていないとき、つまり、単独に存在するアセットが選択されたとき、または、ステップＳ１５０でアルバム種がないときには、現在選択されている内容にはアセット情報のみが含まれておりアセット自体をユーザに選択させる状態であるため、ＣＰＵ１２は、現在開いているマニフェストを閉じ（ステップＳ２１０）、画像選択表示ルーチンを実行する（ステップＳ２２０）。
【００３４】
図６は、ＲＯＭ１３に記憶され、コントローラ１１のＣＰＵ１２により実行される画像選択表示ルーチンのフローチャートである。図６のルーチンが開始されると、ＣＰＵ１２は、選択表示印刷制御ルーチンで選択された内容に含まれているアセット情報及びアセットを読み出す（ステップＳ４００）。アセット情報の読み出しは、アセット名称、アセット種別及びサムネイル画像の有無などの情報を読み出すことを行う。そして、ＣＰＵ１２は、読み出したアセット情報に基づいてアセットの種別を判定し判定結果により決定された種別アイコン８２ｂと共にアセットのサムネイル画像を分割領域ごとに配置した分割配置画面８２を表示部４２に表示させる（ステップＳ４１０）。なお、選択した内容に画像が含まれないアセット（例えば音楽ファイルなど）が存在するときには、そのアセットについては予め設定されているデフォルトの画像を表示させる（図７（ａ）の画像Ｆ参照）。
【００３５】
ここで、分割配置画面８２について説明する。図７は、分割配置画面８２の説明図である。この分割配置画面８２には、画像を選択するカーソル８２ａ及び各アセットの画像Ａ〜Ｇが分割領域に配置されており、この各画像上には、アセットの種別に対応する種別アイコン８２ｂが配置されている。ここで、種別アイコン８２ｂには、静止画（Ｓ）、音声付き画像（ＳＡ）、マルチショット画像（Ｍ）、パノラマ画像（Ｐ）及びその他のアセット（Ｏ）などの英字が表示されており、そのアセットの種別が容易に認識できるようになっている。これらのうち、マルチショット画像及びパノラマ画像のアセットは、複数の画像ファイルを含むコンポジット型アセットであり、静止画及び音声付き画像のアセットは単数の画像ファイルを含む個別アセットである。ここでは、アセットの種別に応じて種別アイコンの色を変えて表示するように設定されている。このため、アセットの種別を一層区別しやすい。
【００３６】
さて、ステップＳ４１０でサムネイル表示したあと、ＣＰＵ１２は、分割配置画面８２に表示されている画像が選択されたか否かを判定し（ステップＳ４２０）、画像が選択されていないときにはそのまま待機し、画像が選択されたときには、選択された画像のアセットの種別を判定する（ステップＳ４３０）。画像が選択されたか否かの判定は、ユーザが表示切替キー４４ｃを押下したか否かにより行い、選択されたアセットの種別の判定は、アセット情報に記述されたアセット種別を読み出すことにより行う。選択された画像のアセットがコンポジット型アセット、つまり複数の画像ファイルを含むアセットであるときには、ＣＰＵ１２は、アセットに含まれる複数の画像を拡大し予め定められた所定時間ずつ順番に表示させるコンポジットスライドショー表示の実行を開始する（ステップＳ４４０）。図８は、表示部４２に表示する表示画面の切り替えの説明図であり、（ａ）は、コンポジットスライドショー表示画面８４の説明図であり、（ｂ）は、個別表示画面８５の説明図であり、（ｃ）は、メタデータ表示画面８６の説明図であり、（ｄ）は、全画像スライドショー表示画面８７の説明図である。このコンポジットスライドショー表示では、コンポジット型アセットに含まれる複数の画像を１回だけ表示させ、コンポジット型アセットに含まれる最後の画像を拡大表示した状態で停止する。さて、このコンポジットスライドショー表示を開始すると、ＣＰＵ１２は、印刷要求があったか否かを判定する（ステップＳ４４５）。ここで、印刷要求があったか否かの判定は、決定キー４４ｂが押下されたか否かによって行う。なお、コンポジット型アセットのスライドショー時の印刷要求では、コンポジット型アセットに含まれる画像すべてを印刷するように設定されている。
【００３７】
ステップＳ４４５で印刷要求がなかったときには、ＣＰＵ１２は、表示切替キー４４ｃが押下されたか否かを判定し（ステップＳ４５０）、表示切替キー４４ｃが押下されていないときにはステップＳ４４５での印刷要求とステップＳ４５０での表示切替キー４４ｃの押下のいずれかが行われるまで待機する。そして、表示切替キー４４ｃが押下されたときにはコンポジットスライドショー表示を停止し表示切替キー４４ｃが押下された時点で表示部４２に表示されていた画像を拡大して表示する個別表示を実行する（ステップＳ４５５）。図８（ｂ）は、個別表示画面８５の説明図である。この個別表示画面８５には、操作方法表示欄８５ａが画像の下部に重ねられて配置されており、印刷の設定などの操作がわかりやすくなっている。
【００３８】
ステップＳ４５５で個別表示を実行したあと、ＣＰＵ１２は、印刷要求があったか否かを判定し（ステップＳ４６０）、印刷要求がなかったときには、表示切替キー４４ｃが押下されたか否かを判定し（ステップＳ４６５）、表示切替キー４４ｃが押下されていないときにはステップＳ４６０での印刷要求とステップＳ４６５での表示切替キー４４ｃの押下のいずれかが行われるまで待機し、表示切替キー４４ｃが押下されたときには現在表示されているアセットのメタデータを表示部４２に拡大して表示するメタデータ表示を実行する（ステップＳ４７０）。図８（ｃ）は、メタデータ表示画面８６の説明図である。このメタデータ表示画面８６には、アセット種別情報表示部８６ａとアセット情報表示部８６ｂとが含まれている。アセット情報表示部８６ｂには、アセット情報に記述されている作成者、アセットのタイトル、作成日時などの情報が含まれている。ここでは、コンポジット型アセットでは含まれる画像ファイルのメタデータではなくアセットのメタデータを表示し、個別アセットでは画像ファイルのメタデータを表示する設定になっている。
【００３９】
メタデータ表示を実行したあと、ＣＰＵ１２は、印刷要求があったか否かを判定し（ステップＳ４８０）、印刷要求がなかったときには、表示切替キー４４ｃが押下されたか否かを判定し（ステップＳ４８５）、表示切替キー４４ｃが押下されていないときにはステップＳ４８０での印刷要求とステップＳ４８５での表示切替キー４４ｃの押下のいずれかが行われるまで待機し、表示切替キー４４ｃが押下されたときには、アルバムに含まれているすべての画像を拡大し予め定められた所定時間ずつ順番に表示させる全画像スライドショー表示を実行する（ステップＳ４９０）。図８（ｄ）は、全画像スライドショー表示画面８７の説明図である。ここでは、図４の選択表示印刷制御ルーチンのステップＳ１８０で選択されたのがアルバムであるときにはアルバムに含まれるすべての画像をスライドショー表示し、マニフェストリンクであるときには、リンク先のマニフェストに含まれるすべての画像をスライドショー表示する。なお、コンポジット型アセットに含まれるすべての画像もスライドショー表示される。この全画像スライドショー表示は、ユーザが表示切替キー４４ｃを押下するまで繰り返し実行されるように設定されている。そして、ＣＰＵ１２は、表示切替キー４４ｃが押下されたか否かを判定し（ステップＳ５００）、表示切替キー４４ｃが押下されていないときにはそのまま待機し、表示切替キー４４ｃが押下されたときにはステップＳ４４５，Ｓ４６０，Ｓ４８０で印刷要求があるまでステップＳ４４０〜Ｓ５００の処理を繰り返す。
【００４０】
一方、ステップＳ４３０で選択された画像のアセットが個別アセット、つまり単数の画像ファイルを含むアセットであるときには、ＣＰＵ１２は、この静止画を拡大して表示部４２に個別表示し（ステップＳ５１０）、印刷要求があったか否かを判定し（ステップＳ５１５）、印刷要求がなかったときには、表示切替キー４４ｃが押下されたか否かを判定し（ステップＳ５２０）、表示切替キー４４ｃが押下されていないときにはステップＳ５１５での印刷要求とステップＳ５２０での表示切替キー４４ｃの押下のいずれかが行われるまで待機し、表示切替キー４４ｃが押下されたときには現在表示されている画像のメタデータを拡大して表示部４２に表示させるメタデータ表示を実行する（ステップＳ５２５）。
【００４１】
ステップＳ５２５でメタデータ表示を実行したあと、ＣＰＵ１２は、印刷要求があったか否かを判定し（ステップＳ５３０）、印刷要求がなかったときには、表示切替キー４４ｃが押下されたか否かを判定し（ステップＳ５３５）、表示切替キー４４ｃが押下されていないときにはステップＳ５３０での印刷要求とステップＳ５３５での表示切替キー４４ｃの押下のいずれかが行われるまで待機する。表示切替キー４４ｃが押下されたときには、ＣＰＵ１２は、上述した全画像スライドショー表示を実行し（ステップＳ５４０）、表示切替キー４４ｃが押下されたか否かを判定し（ステップＳ５４５）、表示切替キー４４ｃが押下されていないときにはそのまま待機し、表示切替キー４４ｃが押下されたときにはステップＳ５１５，Ｓ５３０で印刷要求があるまでステップＳ５１０〜Ｓ５４５の処理を繰り返す。なお、ステップＳ４３０で画像を含まないアセット（例えば音楽ファイルなど）が選択されたあと、表示切替キー４４ｃが押下されたときには、そのアセットのメタデータを表示するように設定されている。
【００４２】
さて、ステップＳ４４５，Ｓ４６０，Ｓ４８０，Ｓ５１５，Ｓ５３０で印刷要求があったときには、ＣＰＵ１２は、印刷確認画面を表示部４２に表示し（ステップＳ５５０）、このルーチンを終了する。
【００４３】
そして、図４に示した選択表示印刷制御ルーチンに戻り、ステップＳ１３０で全画像表示処理を行ったあと、または、ステップＳ２２０で画像選択表示処理を実行したあと、ＣＰＵ１２は、選択された画像の印刷処理を実行する（ステップＳ２３０）。ここで、印刷処理について説明する。マルチファンクションプリンタ１０のコントローラ１１は、ユーザからの印刷指示及び印刷データを受信すると、プリンタＡＳＩＣ３２へ印刷指令を行う。印刷指令を受けると、プリンタＡＳＩＣ３２は、ＲＡＭ１４の印刷バッファ１４ａに記憶された印刷データをビットマップ展開し、図示しない駆動モータを駆動して搬送ローラ３８を回転させて記録紙Ｓを搬送し、圧力発生部３５への電圧を制御することによりビットマップに展開した画像データに基づいて記録紙Ｓに画像を印刷する。なお、印刷終了後は、再び選択表示印刷制御ルーチンのステップＳ１２０以降の処理を行う。
【００４４】
最後に、図７及び図８に示した表示部４２の説明図を用いてアセットを表示して選択させる一連の動作について説明する。まず、ユーザは、マルチファンクションプリンタ１０のスロット１７にメモリカード１８を挿入しＭＰＶモードを選択し、印刷したいアセットが含まれているアルバムを選択する。すると、ＣＰＵ１２は、アルバムに含まれているアセットの情報を読み出し、読み出したアセット情報に基づいて種別アイコン８２ｂと共にサムネイル画像を配置した分割配置画面８２（図７（ａ））を表示部４２に表示する。ユーザが右キー４４ｂを押下してコンポジット型アセットである画像Ｂにカーソル８２ａを合わせ（図７（ｂ））、表示切替キー４４ｃを押下する。すると、画像Ｂが選択され、コンポジット型アセットに含まれる画像を拡大して１回だけスライドショー表示するコンポジットスライドショー表示画面８４を表示部４２に表示する（図８（ａ））。ここでは、画像Ｂ１，画像Ｂ２，画像Ｂ３の順に拡大表示される。この画面を見ることによりコンポジット型アセットにどのような画像が含まれているかを確認できる。次に、ユーザが表示切替キー４４ｃを押下すると、表示切替キー４４ｃが押下されたときに表示部４２に表示されている画像を拡大表示する個別表示画面８５を表示する（図８（ｂ））。ユーザが表示切替キー４４ｃを更に押下すると、現在の画像が含まれているアセットのメタデータを表示するメタデータ表示画面８６が表示される（図８（ｃ））。続いて、ユーザが表示切替キー４４ｃを押下すると、アルバムに含まれている画像すべてを拡大してスライドショー表示する全画像スライドショー表示画面８７を表示する（図８（ｄ））。ここでは、画像Ｂ３，画像Ｃ，画像Ｄ・・・の順番に拡大表示される。そして、ユーザが表示切替キー４４ｃを押下するたびにコンポジットスライドショー表示画面８４、個別表示画面８５、メタデータ表示画面８６及び全画像スライドショー表示画面８７に切り替わる。なお、戻りキー４４ｄが押下されると分割表示画面８２の表示に戻る。そして、ユーザは、表示されている画面を確認したあと、決定キー４４ａを押下して印刷する画像を選択し、印刷指令を行う。すると、ＣＰＵ１２は、印刷指令された画像ファイルの印刷を行う。
【００４５】
ここで、本実施例の構成要素と本発明の構成要素との対応関係を明らかにする。本実施例のコントローラ１１が本発明の表示制御手段、アセット取得手段及びアセット種別判定手段に相当し、表示部４２が表示手段に相当し、操作部４４がアセット選択手段及び指示取得手段に相当し、印刷機構３１が印刷ユニットに相当する。また、アルバム情報６３，７３，７５が本発明の集団情報に相当し、ルートマニフェスト６１及びマニフェスト７１がファイル管理情報に相当する。なお、本実施例では、マルチファンクションプリンタ１０の動作を説明することにより本発明の表示処理方法の一例も明らかにしている。
【００４６】
以上詳述した本実施例のマルチファンクションプリンタ１０によれば、複数の画像ファイルを含むコンポジット型アセットの画像と単数の画像ファイルを含む個別アセットの画像とを並べてサムネイル表示し該並べて表示した各種アセットの画像のうちいずれかが選択されたあと、ユーザが表示切替キー４４ｃを押下するたびに選択されたアセットの種別に応じて表示態様を切り替えて表示する。したがって、アセットの種別に適した表示態様でアセットの内容をユーザに提示することができる。
【００４７】
また、コンポジットスライドショー表示画面８４と個別表示画面８５とを切り替えて表示可能であり、アセットに含まれる複数の画像すべてを短時間のうちに順番に拡大して確認したり１つの画像を拡大してじっくりと確認したりすることができるため、アセットに含まれる複数の画像を確認しやすい。このとき、コンポジットスライドショー表示の途中でユーザが表示切替キー４４ｃを押下すると該押下したときに表示されていた画像を個別表示するため、順番に表示されている画像から目的の画像を選択し、選択した画像に対してその後の処理を行いやすい。
【００４８】
更に、コンポジット型アセットが選択されたあと、ユーザが表示切替キー４４ｃを押下するとコンポジット型アセットのメタデータを表示するメタデータ表示画面８６に切り替えて表示するため、コンポジット型アセットの画像の確認に加えてコンポジット型アセットのメタデータの内容をも確認することができる。
【００４９】
更にまた、個別アセットが選択されたあと、ユーザが表示切替キー４４ｃを押下するたびにアセットに含まれる１つの画像ファイルの画像を拡大して表示する個別表示画面８５とメタデータ表示画面８６とを切り替えて表示するため、アセットの画像の確認に加えてアセットのメタデータをも確認することができる。
【００５０】
そして、選択されたアルバム種に含まれているすべての画像を拡大して順番に表示する全画像スライドショー表示画面８７に切り替えて表示するため、選択したアルバム種に含まれているすべてのアセットにどのような画像が含まれているかを容易に確認することができる。
【００５１】
そしてまた、マニフェストを利用することにより、比較的容易にアセットを取得することができる。また、アセットに含まれる画像と共にアセットの種別を表示するため、アセットの種別をユーザが容易に認識できる。このとき、アセットの画像上に種別アイコン８２ｂを表示するため、画像以外の部分にアセットの種別を表示する場合に比べてスペースを有効利用でき、比較的大きいアセットの画像を表示することができるし、アイコンでアセットの種別を表示し視覚的に認識しやすい。更に、画像が含まれていないアセットがあるときには該画像が含まれていないアセットの表示位置にデフォルトの画像を並べて表示するため、画像が含まれていないアセットがどれであるのかを確認しやすい。更にまた、操作部４４の操作により印刷するアセットをユーザが選択可能であるため、印刷するアセットを選択することができる。そして、印刷する画像を表示部４２に表示させてユーザに選択させることが多いため、本発明を適用する意義が高い。
【００５２】
なお、本発明は上述した実施例に何ら限定されることはなく、本発明の技術的範囲に属する限り種々の態様で実施し得ることはいうまでもない。
【００５３】
例えば、上述した実施例では、コンポジット型アセットが選択されたあと表示切替キー４４ｃが押下されるたびにコンポジットスライドショー表示画面８４、個別表示画面８５、メタデータ表示画面８６及び全画像スライドショー表示画面８７の順番に切り替わるとしたが、この順番を変えてもよい。また、メタデータ表示画面８６及び全画像スライドショー表示画面８７のうち少なくとも一方の表示を行わなくてもよい。また、画像が１つ含まれている個別アセットが選択されたあと表示切替キー４４ｃが押下されるたびに個別表示画面、メタデータ表示画面及び全画像スライドショー表示画面８７の順番に切り替わるとしたが、この順番を変えてもよい。また、メタデータ表示画面及び全画像スライドショー表示画面８７の少なくとも一方の表示を行わなくてもよい。このようにしても、アセットの種別に適した表示態様でアセットの内容をユーザに提示することができる。
【００５４】
また、上述した実施例では、分割表示画面８２が表示部４２に表示されているときに各画像上に種別アイコン８２ｂを表示するとしたが、コンポジットスライドショー表示画面８４や個別表示画面８５の画像上に種別アイコン８２ｂを表示してもよい。こうしてもアセットの種別を確認しやすい。
【００５５】
更に、上述した実施例では、コンポジットスライドショー表示は画像を一回表示させて終了するとしたが、表示切替キー４４ｃが押下されるまで繰り返し行ってもよいし、所定回数繰り返し行ってもよい。また、上述した実施例では、全画像スライドショー表示は表示切替キー４４ｃが押下されるまで繰り返し行うとしたが、画像を１回表示して停止してもよいし、所定回数繰り返して停止してもよい。また、全画像スライドショー表示では、コンポジット型アセットについてはコンポジット型アセットに含まれる複数の画像もすべて順番に表示するとしたが、コンポジット型アセットについてはコンポジット型アセットに含まれる代表画像のみを表示してもよい。
【００５６】
更にまた、上述した実施例では、表示切替キー４４ｃの押下回数に応じて表示画面が切り替わるとしたが、全画像スライドショーボタンやメタデータ表示ボタンなどを操作部４４に設けこれらのボタンが押下されたときにはそれに応じた画面表示に切り替えるとしてもよい。
【００５７】
そして、上述した実施例では、コンポジット型アセットのメタデータ表示画面８６ではコンポジット型アセットのメタデータが表示されるとしたが、表示部４２に表示されている画像のメタデータを表示させてもよい。こうすれば、表示されている画像のメタデータの内容を知ることができる。
【００５８】
そしてまた、上述した実施例では、インクジェット方式を採用したフルカラーのマルチファンクションプリンタ１０としたが、電子写真方式のカラーレーザプリンタや、熱転写式のカラープリンタや、ドットインパクト方式のプリンタとしてもよいし、これらのモノクロプリンタとしてもよい。また、ＦＡＸ機やコピー機などの印刷装置としてもよい。また、パソコン、スキャナ、デジカメ及びデジタルビデオなどの画像処理機器などに本発明を適用してもよい。
【図面の簡単な説明】
【００５９】
【図１】本実施例のマルチファンクションプリンタ１０のブロック図である。
【図２】本実施例の操作パネル４０の説明図である。
【図３】本実施例のマニフェストの説明図である。
【図４】本実施例の選択表示印刷制御ルーチンである。
【図５】本実施例のパス情報１４ｃの説明図である。
【図６】本実施例の画像選択表示ルーチンである。
【図７】本実施例の表示部４２に表示する分割配置画面８２の説明図である。
【図８】本実施例の表示部４２に表示する表示画面の切り替えの説明図である。
【符号の説明】
【００６０】
１０  マルチファンクションプリンタ、１１  コントローラ、１２  ＣＰＵ、１３  ＲＯＭ、１３ａ  選択表示印刷制御プログラム、１４  ＲＡＭ、１４ａ  スキャナバッファ、１４ｂ  印刷バッファ、１４ｃ  パス情報、１５  バス、１６  リーダライタ、１７  スロット、１８  メモリカード、２０  スキャナ部、２１  スキャナ機構、２２  スキャナＡＳＩＣ、２３  ガラス面、２４  ラインイメージセンサ、２６  移動部、３０  プリンタ部、３１  プリンタ機構、３２  プリンタＡＳＩＣ、３４  インクカートリッジ、３５  圧力発生部、３６  吐出口、３８  搬送ローラ、４０  操作パネル、４２、表示部、４４  操作部、４４ａ  カーソルキー、４４ｂ  決定キー、４４ｃ  表示切替キー  ４４ｄ  戻りキー、５０  デジタルカメラ、６１  ルートマニフェスト、６２  リンク情報、６２ａ  リンクパス、６３  アルバム情報、６４，６５，６７，６８  ファイル情報、６４ａ，６５ａ，６７ａ，６８ａ  ファイルパス、６６  総括名称、７１  マニフェスト、７３  アルバム情報、７４  ファイル情報、７４ａ  ファイルパス、７５  アルバム情報、７６  ファイル情報、７６ａ  ファイルパス、７７  ファイル情報、７７ａ  ファイルパス、８２  分割配置画面、８２ａ  カーソル、８２ｂ  種別アイコン、８４  コンポジットスライドショー表示画面、８５  個別表示画面、８５ａ  操作方法表示欄、８６  メタデータ表示画面、８６ａ  アセット種別情報表示部、８６ｂ  アセット情報表示部、８７  全画像スライドショー表示画面、Ａ〜Ｇ，Ｂ１〜Ｂ３  画像。
【図１】
2006253801.tif 000003
【図２】
2006253801.tif 000004
【図３】
2006253801.tif 000005
【図４】
2006253801.tif 000006
【図５】
2006253801.tif 000007
【図６】
2006253801.tif 000008
【図７】
2006253801.tif 000009
【図８】
2006253801.tif 000010